(57)【要約】【課題】外観の見栄えを損なわずに小型化を図る。【解決手段】パッキン６の第３パッキン部62と器具本体２(枠部22)とに囲まれた空間に、パッキン６を取り付けるための取付ねじ75の頭部750が隠れるように配置される。そのため、パネル５を通して前方から取付ねじ75の頭部750が見えないため、外観の見栄えを損なうことがない。また、パッキン６を介してパッキン押さえ７と器具本体２との間に反射板４を挟持しているので、従来例のように反射板502を固定するねじ506を隠すためのみの部材(遮蔽体505)が不要となり、従来例と比較して小型化を図ることができる。【選択図】        図１
2014112488.tif 000002
【特許請求の範囲】
【請求項１】
光源の配光を制御する反射板と、前記光源及び前記反射板を内部に収納し且つ前記反射板で配光制御された光を前端の開口から照射する器具本体と、透光性を有する材料で形成されて前記器具本体の開口を塞ぐパネルと、前記パネルを保持して前記器具本体に固定されるパネル押さえと、前記パネル及び前記パネル押さえと前記器具本体との間の隙間を塞ぐパッキンと、前記パッキンを前記パネル押さえに取り付ける取付ねじとを備え、
前記パッキンは、前記器具本体の前端と前記パネル押さえとの間に挟み込まれる第１パッキン部と、前記パネルと前記パネル押さえとの間に挟み込まれる第２パッキン部と、前記第１パッキン部又は前記第２パッキン部から前記反射板に向かって突出し、且つ幅広となった先端部分が前記反射板の前端に圧接する第３パッキン部とを有し、
前記取付ねじは、前記第３パッキン部と前記パネル押さえ又は前記器具本体とに囲まれた空間に、頭部が隠れるように配置されることを特徴とする照明器具。
【請求項２】
前記第３パッキン部は、前記反射板に向かって突出する方向と交差する方向における厚み寸法が他の部位の厚み寸法よりも大きく形成された補強部を有することを特徴とする請求項１記載の照明器具。
【請求項３】
前記パネル押さえは、前記器具本体に対して、前記第３パッキン部の前記突出方向に沿ってねじ止めされるものであり、前記補強部は、前記第３パッキン部において、前記パネル押さえを前記器具本体にねじ止めしている箇所の近傍に設けられることを特徴とする請求項２記載の照明器具。
【発明の詳細な説明】
【技術分野】
【０００１】
本発明は、防水形の照明器具に関する。
【背景技術】
【０００２】
従来、屋外などで使用される防水形の照明器具が種種提供されている(例えば、特許文献１参照)。この種の防水形の照明器具として、例えば、図６に示すものを例示する。
【０００３】
この従来例は、有底円筒形の器具本体500、器具本体500の内底面に設けられるランプソケット501、回転放物面形状の反射板502、パネル(図示せず)、パネル押さえ503などを備える。
【０００４】
反射板502は、大径側の開口端にフランジ502Aが形成されている。一方、器具本体500の内壁には、反射板502のフランジ502Aが前方(図６における上方)からねじ止めされる段部500Aが形成されている。
【０００５】
パネル押さえ503は円環状に形成され、透光性を有する材料で円板状に形成されたパネルを保持して器具本体500の前端(図６における上端)にねじ止めされる。なお、パネル押さえ503とパネル及び器具本体500との間に防水パッキン504が介装されて器具本体500内への雨水等の浸入が防止されている。
【０００６】
また、この従来例では、反射板502を固定しているねじ506がパネルを通して前方から見えてしまうことがある。そのため、器具本体500の先端近傍から反射板502の先端近傍までの間に円筒形の遮蔽体505を配設し、ねじ506がパネルを通して前方から見えないように遮蔽体505で隠すようにしている。
【先行技術文献】
【特許文献】
【０００７】
【特許文献１】特開２００９−２３８５３４号公報
【発明の概要】
【発明が解決しようとする課題】
【０００８】
図６に示した従来例では、反射板502を固定するねじ506を隠すためのみの部材(遮蔽体505)が必要となり、器具本体500が大型化してしまうという問題があった。
【０００９】
本発明は、上記課題に鑑みて為されたものであり、外観の見栄えを損なわずに小型化を図ることを目的とする。
【課題を解決するための手段】
【００１０】
本発明の照明器具は、光源の配光を制御する反射板と、前記光源及び前記反射板を内部に収納し且つ前記反射板で配光制御された光を前端の開口から照射する器具本体と、透光性を有する材料で形成されて前記器具本体の開口を塞ぐパネルと、前記パネルを保持して前記器具本体に固定されるパネル押さえと、前記パネル及び前記パネル押さえと前記器具本体との間の隙間を塞ぐパッキンと、前記パッキンを前記パネル押さえに取り付ける取付ねじとを備え、前記パッキンは、前記器具本体の前端と前記パネル押さえとの間に挟み込まれる第１パッキン部と、前記パネルと前記パネル押さえとの間に挟み込まれる第２パッキン部と、前記第１パッキン部又は前記第２パッキン部から前記反射板に向かって突出し、且つ幅広となった先端部分が前記反射板の前端に圧接する第３パッキン部とを有し、前記取付ねじは、前記第３パッキン部と前記パネル押さえ又は前記器具本体とに囲まれた空間に、頭部が隠れるように配置されることを特徴とする。
【００１１】
この照明器具において、前記第３パッキン部は、前記反射板に向かって突出する方向と交差する方向における厚み寸法が他の部位の厚み寸法よりも大きく形成された補強部を有することが好ましい。
【００１２】
この照明器具において、前記パネル押さえは、前記器具本体に対して、前記第３パッキン部の前記突出方向に沿ってねじ止めされるものであり、前記補強部は、前記第３パッキン部において、前記パネル押さえを前記器具本体にねじ止めしている箇所の近傍に設けられることが好ましい。
【発明の効果】
【００１３】
本発明の照明器具は、パッキンの第３パッキン部とパネル押さえ又は器具本体とに囲まれた空間に、パッキンを取り付けるための取付ねじの頭部が隠れるように配置され、また、パッキンを介してパッキン押さえと器具本体との間に反射板を挟持するので、従来例のように反射板を固定するねじを隠すためのみの部材が不要となり、その結果、外観の見栄えを損なわずに小型化を図ることができるという効果がある。
【図面の簡単な説明】
【００１４】
【図１】本発明に係る照明器具の実施形態を示す要部の断面図である。
【図２】同上の斜視図である。
【図３】同上の断面図である。
【図４】同上の要部の断面図である。
【図５】同上の要部の断面斜視図である。
【図６】従来例を示す断面斜視図である。
【発明を実施するための形態】
【００１５】
以下、図１〜図５を参照して、本発明に係る照明器具(防水形のＬＥＤ照明器具)の実施形態を詳細に説明する。なお、以下の説明では、図２において前後左右上下の各方向を規定する。
【００１６】
本実施形態は、スポットライトあるいは投光器に分類される。ただし、本発明の技術思想が適用可能な照明器具はスポットライト及び投光器に限定されるものではない。
【００１７】
本実施形態は、ＬＥＤモジュール１、器具本体２、カバー３、反射板４、パネル５、パッキン６、パネル押さえ７、取付アーム８、点灯装置９などを備える。
【００１８】
ＬＥＤモジュール１は、矩形のセラミックス基板の前面に１乃至複数個のＬＥＤチップが実装されている。また、これらのＬＥＤチップは、透光性を有し且つ蛍光材料が混合された合成樹脂製の封止部材で封止されている。すなわち、ＬＥＤチップから放射される光(例えば、青色光)の一部が蛍光材料で波長変換され、波長変換された光(例えば、黄色光)と波長変換されなかった光(青色光)が混ざることにより、ＬＥＤモジュール１から放射される光が全体として白色光となる。
【００１９】
器具本体２は、収納部20、保持部21、枠部22、取付台25などをがアルミダイカストによって一体に形成されてなる。収納部20は、後端が開口した有底円筒形に形成され、その外周面には、多数の放熱フィン200が前後方向に等間隔に設けられている。また、取付台25は、後端が開口した角筒状に形成されている。ただし、収納部20と取付台25との間に壁はなく、両者は開口面(後端面)及び内部で繋がっている(図３参照)。
【００２０】
収納部20の底部分における中央部に円柱形状の突部23が突設されている。さらに、収納部20の底部分には、突部23と周壁を繋ぐ複数(図示例では６本)の突条部24が突設されている。つまり、突部23は、これら複数の突条部24によって収納部20の周壁と熱的に結合されている。
【００２１】
さらに、収納部20の内側における周壁の近傍には、複数(図示例では４つ)の支持部26が突設されている。これら支持部26の内部には、後端面が開口したねじ孔260が前後方向に形成されている。
【００２２】
保持部21は、収納部20の底部分の前面より前方へ突出した角筒状に形成されており、その内底面にＬＥＤモジュール１をねじ止めして保持している。ただし、保持部21の内底面とＬＥＤモジュール１との間には、熱伝導度が比較的に高く且つ電気絶縁性を有する材料で形成された絶縁シート(図示せず)が介装されている。なお、保持部21は底部分前面のほぼ中央に形成されているので、前後方向から見て、ＬＥＤモジュール１の存在する領域と突部23とが重なっている。
【００２３】
枠部22は、収納部20の前面側の周縁から前方へ突出する円錐台形状であって、前面が開口し且つ内部が空洞に形成されている。そして、枠部22内に反射板４が収納される。反射板４は、金属板を加工することで前方と後方に開口する円錐台形状に形成されている。この反射板４は、枠部22の前端縁とパネル押さえ７との間に、前端の周縁部40がパネル５とともに挟持されることで器具本体２に取り付けられる。このとき、器具本体２に取り付けられた反射板４の後端側の開口内にＬＥＤモジュール１が配置される。すなわち、反射板４は、ＬＥＤモジュール１から放射される光の一部を内周面(反射面)で反射させることにより、光(照明光)の配光が挟角の配光となるように制御している。
【００２４】
パネル５は、ガラス板又はアクリル樹脂やポリカーボネート樹脂などの透光性材料の板材で円板状に形成されている。パネル押さえ７は、金属材料によって円環状に形成され、枠部22の前端にねじ止めして固定される。パッキン６は、パネル５及びパネル押さえ７と記器具本体２(枠部22)との間の隙間を塞ぐことで雨水等の浸入を防ぐものである。
【００２５】
点灯装置９は、図示しない点灯回路(例えば、交流の入力電力を直流電力に変換する電力変換回路など)と、点灯回路を内部に収納した金属製のケース90とで構成される。ケース90は矩形箱状に形成されており、上下両側の前端縁からそれぞれ取付片91が突設されている。各取付片91は、左右方向の両端にねじ挿通孔(図示せず)が貫通している。また、下側の取付片91には、下端縁から前方に突出する支持片92が一体に形成されている。
【００２６】
而して、点灯装置９は、各取付片91のねじ挿通孔に挿通した取付ねじ93を、収納部20の各支持部26のねじ孔260にねじ込むことにより、器具本体２に取り付けられる。このとき、支持片92の先端が収納部20の内底面に当たることで取付片91の変形などが抑えられる。なお、支持部26の高さ寸法(前後方向の長さ寸法)が突部23及び突条部24の高さ寸法よりも大きくされているので、収納部20の深さ方向(前後方向)において、点灯装置９が突部23及び突条部24から離間して支持されることになる。
【００２７】
取付アーム８は、鋼板などの金属板を曲げ加工することで一対のアーム片80と固定片81とが一体に形成されてなる。固定片81の左右両端からアーム片80が上方へ曲げ起こされており、各アーム片80の先端にボルト挿通孔(図示せず)が貫通している。すなわち、ボルト挿通孔に挿通されるボルト82を、取付台25の左右両側の壁に貫通する貫通孔(図示せず)を通して取付台25の内部に挿通し、各ボルト82にナット83を締め付けることで各アーム片80が器具本体２の取付台25に取り付けられる。
【００２８】
一方、固定片81には、固定用のねじ(図示せず)が挿通される円形のねじ挿通孔810と、ねじ挿通孔810を中心とする半円弧状の貫通溝811とが形成されている。すなわち、ねじ挿通孔810と貫通溝811にそれぞれ挿通されるねじで固定片81が造営物(壁や天井、あるいは土台など)に固定される。また、貫通溝811に沿って固定片８を回動することにより、照射方向を変えることができる。
【００２９】
カバー３は、器具本体２の後端面を閉塞するものであって、収納部20に対応した円板状の部分と取付台25に対応した台形状の部分とが結合された形状に形成されている。カバー３には複数(図示例では５つ)のねじ挿通孔が貫通している。すなわち、器具本体２の後端面を塞ぐようにカバー３を被せ、各ねじ挿通孔に挿通したねじ30を、器具本体２の後端面に設けられる複数のねじ孔にそれぞれねじ込むことによって、器具本体２にカバー３を取り付けることができる。ただし、器具本体２の後端面とカバー３との間にも防水用のパッキン(図示せず)が介装される。
【００３０】
次に、本発明の要旨である防水構造について、さらに詳しく説明する。
【００３１】
本実施形態におけるパッキン６は、シリコーン樹脂や合成ゴムなどの弾性を有する材料により、第１パッキン部60と第２パッキン部61と第３パッキン部62と補強部63が一体に形成されてなる。
【００３２】
第１パッキン部60は、前後方向を厚み方向とする円環状に形成され、図１及び図３〜図５に示すように器具本体２の前端(枠部22の前端)とパネル押さえ７との間に挟み込まれる。
【００３３】
第２パッキン部61は、第１パッキン部60よりも厚み寸法が大きい円環状であって、パネル５の周縁部と嵌合する嵌合溝610が内周面に設けられており、パネル５とパネル押さえ７との間に挟み込まれる(図１参照)。
【００３４】
第３パッキン部62は、上下及び左右方向を厚み方向とし、第２パッキン部61の後面(図１における下面)から反射板４に向かって後方(図１における下方)へ突出する円環状に形成されている。また、第３パッキン部62の後端部分には、反射板４の前端に設けられた外鍔部40に圧接する幅広の足部620が一体に形成されている。なお、外鍔部40は、枠部22の内周面から突設された段差(図示せず)に前方から当接している。
【００３５】
補強部63は、図５に示すように上下方向及び左右方向における厚み寸法が第３パッキン部62の他の部位の厚み寸法よりも大きく形成されてなる。つまり、この補強部63により、第３パッキン部62の前後方向の力に対する強度が向上している。なお、この補強部63は、第３パッキン部62において、パネル押さえ７を器具本体２にねじ止めしている箇所の近傍に設けられることが好ましい(図５参照)。つまり、第３パッキン部62には、パネル押さえ７を器具本体２にねじ止めしている箇所において最も強い力(前後方向の力)が作用する。故に、第３パッキン部62において、前記箇所の近傍に補強部63を設けることにより、効率的に第３パッキン部62を補強することができる。
【００３６】
一方、パネル押さえ７は、器具本体２の前端面(枠部22の前端面)との間で第１パッキン部60を挟み込む第１押さえ部70と、パネル５との間で第２パッキン部61を挟み込む第２押さえ部71と、第１押さえ部70の後面から後方へ突出する裾部72とを有している。
【００３７】
第１押さえ部70には、器具本体２(枠部22)の前面側に設けられた複数(４つ)のねじ孔220に連通するねじ挿通孔700が貫通している。つまり、ねじ挿通孔700に挿通した固定ねじ73を、第１パッキン部60に貫通した貫通孔600を通して器具本体２のねじ孔220にねじ込むことにより、パネル押さえ７が器具本体２に固定される(図２参照)。ここで、パネル押さえ７を器具本体２に固定すると、第３パッキン部62の足部620と、枠部22の内周面から突設された段差との間で反射板４の外鍔部40が挟持される。つまり、本実施形態では、図６に示した従来例のように反射板502を器具本体500にねじ止めする必要が無く、従来例と比較して組立作業の簡素化を図ることができる。
【００３８】
第２押さえ部71は、前後方向において階段状に形成されており、前方及び側方(上下左右)の各方向から第２パッキン部61に圧接している。
【００３９】
裾部72は、枠部22の前面における外側に設けられた段部221と嵌合し、パッキン６と器具本体２(枠部22)との繋ぎ目の部分を覆い隠している。
【００４０】
ところで、パッキン６は、パネル押さえ７に対して後方からねじ止めされている。具体的には、第１押さえ部70及び第２押さえ部71の後面との間で第１パッキン部60及び第２パッキン部61を挟み込む取付板74を、パネル押さえ７の後面側にねじ止めしている。
【００４１】
取付板74は、金属板を加工することで円環状に形成されている。この取付板74は、図１及び図４，図５に示すように第３パッキン部62と器具本体２(枠部22)とに囲まれた空間において、取付ねじ75によりパネル押さえ７の後面側にねじ止めされる。ここで、取付ねじ75の頭部750の高さ寸法に対して、第３パッキン部62の高さ寸法(前後方向の長さ寸法)が大きくされている。したがって、取付板74をパネル押さえ７に取り付けるための取付ねじ75の頭部750は、第３パッキン部62と器具本体２(枠部22)とに囲まれた空間に隠されることになる。つまり、第３パッキン部62に遮られることにより、取付ねじ75の頭部750が、パネル５を通して外部から見えることがない。
【００４２】
上述のように本実施形態では、パッキン６の第３パッキン部62と器具本体２(枠部22)とに囲まれた空間に、パッキン６を取り付けるための取付ねじ75の頭部750が隠れるように配置される。そのため、パネル５を通して前方から取付ねじ75の頭部750が見えないため、外観の見栄えを損なうことがない。また、パッキン６を介してパッキン押さえ７と器具本体２との間に反射板４を挟持しているので、従来例のように反射板502を固定するねじ506を隠すためのみの部材(遮蔽体505)が不要となり、従来例と比較して小型化を図ることができる。
【符号の説明】
【００４３】
１  ＬＥＤモジュール(光源)
２  器具本体
５  パネル
６  パッキン
７  パネル押さえ
60  第１パッキン部
61  第２パッキン部
62  第３パッキン部
75  取付ねじ
750  頭部
【図１】
2014112488.tif 000003
【図２】
2014112488.tif 000004
【図３】
2014112488.tif 000005
【図４】
2014112488.tif 000006
【図５】
2014112488.tif 000007
【図６】
2014112488.tif 000008